(57)【特許請求の範囲】
【請求項１】
壁パネルと壁形成用の役物とが互いに端部同士を対向させた状態で配置され、かつ前記壁パネルに前記役物が取付金物を介して取り付けられてなる構造であって、
前記取付金物は、前記役物の内面側に取り付けられた役物取付片と、該役物取付片の前記壁パネル側の端部から該壁パネルの外面と反対側に向けて略直角に折曲されるとともに前記壁パネルの端部と前記役物の端部とがなす目地の長さ方向に細長い第１長孔が穿設された第１折曲片とからなる役物取付金具と、
前記壁パネルの内面側に取り付けられるとともに前記目地の長さ方向と同一面内にて略直交する方向に細長い第２長孔が穿設された壁パネル取付片と、該壁パネル取付片の前記役物側の端部から前記役物取付金具の第１折曲片と同じ方向に略直角に折曲されるとともに前記壁パネルの厚み方向に細長い第３長孔が前記第１長孔に対応する位置に穿設された第２折曲片とからなる壁パネル取付金具とを備え、
該壁パネル取付金具は、前記壁パネル取付片の前記第２長孔に挿通させた第１ボルトによって前記壁パネルに取り付けられるとともに、
前記役物取付金具と前記壁パネル取付金具とは、前記第１折曲片の第１長孔と前記第２折曲片の第３長孔とに挿通させた第２ボルトによって接合されてなる
ことを特徴とする壁形成用の役物の取り付け構造。
【請求項２】
前記役物取付金具の役物取付片は、第３ボルトによって前記役物に取り付けられている
ことを特徴とする請求項１記載の壁形成用の役物の取り付け構造。
【請求項３】
前記壁パネルの内部と前記役物の内部とにはそれぞれ、これら壁パネルおよび役物の長さ方向に細長い中空部が形成され、
前記壁パネルにおける前記壁パネル取付金具の取り付け位置の中空部内には、前記第１ボルトを受ける第１受け金物が装着されているとともに、
前記役物における前記役物取付金具の取り付け位置の中空部内には、前記第３ボルトを受ける第２受け金物が装着されている
ことを特徴とする請求項２記載の壁形成用の役物の取り付け構造。
【請求項４】
前記役物は出隅部材であり、
前記役物取付金具の役物取付片は、前記出隅部材の内面側の入隅に沿う形状に形成されているとともに、前記役物の内面に当接する状態で取り付けられていることを特徴とする請求項１、２または３記載の壁形成用の役物の取り付け構造。
【請求項５】
前記役物は入隅部材であり、
前記役物取付金具の役物取付片は前記入隅部材の内面側の出隅に沿う形状に形成されているとともに、前記役物の内面に当接する状態で取り付けられている
ことを特徴とする請求項１、２または３記載の壁形成用の役物の取り付け構造。
【請求項６】
前記役物は前記壁パネルの幅よりも小さい幅の小パネルからなり、
前記役物取付金具の役物取付片は平板状に形成されているとともに、前記役物の内面に当接する状態で取り付けられている
ことを特徴とする請求項１、２または３記載の壁形成用の役物の取り付け構造。
【発明の詳細な説明】
【０００１】
【発明の属する技術分野】
本発明は、壁パネルに壁形成用の役物が取り付けられてなる壁形成用の役物の取り付け構造に関する。
【０００２】
【従来の技術】
従来の壁形成用の役物としては、例えば出隅部材や入隅部材、小パネル等が知られている。そして一般に、建物の施工にあたっては、このような役物は壁パネルに取り付けられず建物躯体側に取り付けられる。例えば建物躯体が柱を有する場合、役物は柱に取り付けられる。また建物躯体に柱がない場合、役物はその上下で建物躯体側のファスナーに取り付けられている。
【０００３】
【発明が解決しようとする課題】
しかしながら、上記した従来の技術では、建物躯体に役物を取り付けるのに必ず柱やファスナー等の下地が必要であるという難点がある。また、実際の建物の施工では、建物躯体の特に出隅部分等に狂いが生じ易く、現場にて壁パネルと役物とを３方向、すなわち上下方向、左右方向および前後方向で調整することが必要な場合が多く発生する。ところが、壁パネルと役物とが別々に建物躯体側に取り付けられているため、上記した３方向の調整が非常に煩雑となっている。
また現場では、平板状の金物あるいは側面視Ｌ字状の金物を用いて壁パネルに役物を取り付けることも検討されているが、この場合には壁パネルと役物との水平方向の調整しかできない。
【０００４】
したがって、建物躯体側に柱やファスナー等の下地が設けられていなくても役物を取り付けることができるとともに、壁パネルと役物との３方向の調整を容易に行うことができる壁形成用の役物の取り付け構造の開発が切望されている。
【０００５】
【課題を解決するための手段】
上記課題を解決するための本発明は、壁パネルに役物が取付金物を介して取り付けられ、この取付金物が、役物の内面側に取り付けられた役物取付片と、この役物取付片の壁パネル側の端部から壁パネルの外面と反対側に向けて略直角に折曲されるとともに壁パネルの端部と役物の端部とがなす目地の長さ方向に細長い第１長孔が穿設された第１折曲片とからなる役物取付金具と、壁パネルの内面側に取り付けられるとともに上記目地の長さ方向と同一面内にて略直交する方向に細長い第２長孔が穿設された壁パネル取付片と、壁パネル取付片の役物側の端部から役物取付金具の第１折曲片と同じ方向に略直角に折曲されるとともに壁パネルの厚み方向に細長い第３長孔が第１長孔に対応する位置に穿設された第２折曲片とからなる壁パネル取付金具とを備えている。そして壁パネル取付金具が、壁パネル取付片の第２長孔に挿通させた第１ボルトによって壁パネルに取り付けられるとともに、役物取付金具と壁パネル取付金具とが、第１折曲片の第１長孔と第２折曲片の第３長孔とに挿通させた第２ボルトによって接合されているものである。
【０００６】
本発明では、壁パネルに役物が取付金物を介して取り付けられているため、壁パネルと役物とが一体化されたものとなる。よって、壁パネルを建物躯体側に取り付ければ、必然的に役物が建物躯体側に取り付けられた状態になる。
また役物取付金具と壁パネル取付金具とが、役物取付金具の第１長孔と壁パネル取付金具の第３長孔とを挿通させた第２ボルトによって接合されているため、第２ボルトを緩めれば、壁パネル取付金具が取り付けられた壁パネルと役物取付金具が取り付けられた役物とを第１長孔、第３長孔の長さ方向に相対的にずらすことが可能になる。よって、壁パネルと役物とがなす目地の長さ方向を上下方向とした場合、第１長孔は上下方向に細長い孔となり、第３長孔は前後方向に細長い孔となるので、第２ボルトを緩めることにより、壁パネルと役物とを上下方向、前後方向に相対的にずらすことが可能になる。また第２ボルトを締めれば、上下方向、前後方向にずらした状態のまま壁パネルと役物とが再び一体化されることになる。
また役物取付金具が接合された壁パネル取付金具が、壁パネル取付片の第２長孔に挿通させた第１ボルトによって壁パネルに取り付けられているため、第１ボルトを緩めれば、壁パネルと役物とを第２長孔の長さ方向に相対的にずらすことが可能になる。よって、壁パネルと役物とがなす目地の長さ方向を上下方向とした場合、第１ボルトを緩めれば、壁パネルと役物とを左右方向に相対的にずらすことが可能になる。そして第１ボルトを締めれば、左右方向にずらした状態のまま壁パネルと役物とが再び一体化されることになる。
【０００７】
【発明の実施の形態】
以下、本発明に係る壁形成用の役物の取付構造の実施形態を図面に基づいて説明する。
図１は本発明の第１実施形態を示す斜視図であり、壁形成用の役物として出隅部材を用いた例を示したものである。また図２は第１実施形態で用いる取付金物の分解斜視図、図３は第１実施形態の組み立て分解斜視図、図４は第１実施形態の平面図である。
【０００８】
図１、図３に示すように第１実施形態に係る壁形成用の役物の取付構造は、壁パネル１と出隅部材２とが互いに端部同士を対向させた状態で配置され、かつ壁パネル１に出隅部材２が取付金物３を介して取り付けられて構成されたものである。
壁パネル１および出隅部材２はそれぞれ、その厚み内にこれら壁パネル１、出隅部材２の長さ方向に細長い中空部１１、２１が複数形成されたもので、壁パネル１の端部とこれに対向する出隅部材２の端部とによって目地６が形成されている。
【０００９】
壁パネル１の中空部１１内には、図３および図４に示すように後述する壁パネル取付金具の取り付け位置に第１受け金物７１が設けられており、第１受け金物７１には後述する第１ボルト用の孔７１ａが形成されている。そして壁パネル１の内面側にも、その第１受け金物７１の孔７１ａに対応する位置に第１ボルト用の孔１３が穿設されている。
また出隅部材２の内面２２は、壁パネル１の内面１２にほぼ面一に配置された第１面２２ａと、その第１面２２ａに対して略直角に形成された第２面２２ｂとからなる。第２面２２ｂ側の中空部２１内には、後述する役物取付金具の取り付け位置に第２受け金物７２が設けられており、この第２受け金物２７には後述する第３ボルト用の孔７２ａが形成されている。そして出隅部材２の第２面２２ｂにも、その第２受け金物７２の孔７２ａに対応する位置に第３ボルト用の孔２３が穿設されている。
【００１０】
壁パネル１に出隅部材２を取り付けるための取付金物３は、出隅部材２に取り付けられる役物取付金具４と、壁パネル１に取り付けられる壁パネル取付金具５とから構成されている。
役物取付金具４は、出隅部材２の内面２２に当接する状態で取り付けられる役物取付片４１と、役物取付片４１の壁パネル１側の端部から壁パネル１の外面と反対側に向けて略直角に折曲された第１折曲片４２とからなる。この第１実施形態では、役物取付片４１は出隅部材２の内面２２側の入隅に沿う形状に形成されている。
【００１１】
すなわち、役物取付片４１は図２に示すように、出隅部材２の第１面２２ａに当接する横片４１ａと、横片４１ａの壁パネル１側と反対側の端部から壁パネル１の外面と反対側に向けて略直角に折曲されて第２面２２ｂに当接する縦片４１ｂとから平面視略Ｌ字状に形成されている。したがって役物取付金具４は平面視略コ字状をなしたものとなっている。また役物取付片４１は、出隅部材２の内面２２側の幅にほぼ等しい長さを有している。
【００１２】
ここで、壁パネル１と出隅部材２とがなす目地６の長さ方向を上下方向（図１中Ｙで示す）、この上下方向と同一面内にて略直交する方向を左右方向（図１中Ｘで示す）、壁パネル１の厚み方向、つまり上下方向および左右方向に略直交する方向を前後方向（図２中Ｚ方向で示す）とすると、役物取付片４１の縦片４１ｂには前後方向に長い取付調整孔４３が形成されている。また第１折曲片４２には、上下方向に細長い第１長孔４４が形成されている。
【００１３】
一方、壁パネル取付金具５は、図４に示すごとく、壁パネル１の内面１２側に取り付けられる壁パネル取付片５１と、壁パネル取付片５１の出隅部材２側の端部から役物取付金具４の第１折曲片４２と同じ方向に略直角に折曲された第２折曲片５２とから平面視略Ｌ字状に形成されている。壁パネル１と出隅部材２とがなす目地６の長さ方向を上下方向とした場合、壁パネル取り付け片５１には左右方向に細長い第２長孔５３が穿設されており、第２折曲片５２には第１折曲片４２の第１長孔４４に対応する位置に、前後方向に細長い第３長孔５４が穿設されている。
【００１４】
この壁パネル取付金具５は、壁パネル取付片５１の第２長孔５３、壁パネル１の孔１３および第１受け金物７１の孔７１ａに挿通させた第１ボルト１００と、ワッシャー１０１とを用いて壁パネル１に取り付けられている。また役物取付金具４は、役物取付片４１の取付調整孔４３、出隅部材２の孔２３および第２受け金物７２の孔７２ａに挿通させた第３ボルト３００と、ワッシャー３０１とを用いて出隅部材２に取り付けられている。
【００１５】
さらに役物取付金具４の第１折曲片４２の第１長孔５３と、壁パネル取付片５１の第２折曲片５２の第３長孔５４とに挿通させた第２ボルト２００と、ワッシャー２０１およびナット２０２とによって、第１折曲片４２と第２折曲片５２とが重ね合わされた状態で役物取付金具４と壁パネル取付金具５とが接合されている。この際、上記したように役物取付金具４の役物取付片４１は、出隅部材２の内面２２側の幅にほぼ等しい長さを有しているため、壁パネル１と出隅部材２との目地６位置に第１折曲片４２と第２折曲片５２との重ね合わせ部分が位置した状態となっている。そして役物取付金具４と壁パネル取付金具５とが接合されることにより、壁パネル１に出隅部材２が取り付けられて一体化されている。
【００１６】
上記の出隅部材２の取り付け構造を構築するにあたっては、予め第１受け金物７１、第２受け金物７２を装着した壁パネル１と出隅部材２とを、それぞれの内面１２、２２側を上方に向けかつ互いに端部同士を対向させた状態で平置きする。そして壁パネル１と出隅部材２との目地６の長さ方向に所定の間隔で取付金物３を、第１ボルト１００〜第３ボルト３００を用いて取り付け、壁パネル１と出隅部材２とを一体化する。この際、役物取付金具４の役物取付片４１が出隅部材２の内面２２の第１面２２ａ、第２面２２ｂに当接するよう役物取付金具４を取り付ける。前述したように役物取付片４１の取付調整孔４３は、目地６の長さ方向を上下方向とした場合に前後方向に長い孔である。したがって壁パネル１と出隅部材２とを平置きした場合、上下方向に長い孔となる。よって、取付調整孔４３に挿通させた第３ボルト３００を緩めることにより、役物取付片４１を上下方向にずらすことができ、これにより役物取付片４１を出隅部材２の内面２２に確実に当接させることができる。
【００１７】
このように壁パネル１と出隅部材２とを一体化した後は、第１受け金物７１、第２受け金物７２の図示しない長ナットに、緩衝ゴムを挿着した吊り上げボルトをねじ込み、この吊り上げボルトを利用して壁パネル１と出隅部材２とを垂直に持ち上げる。つまり、壁パネル１と出隅部材２とがなす目地６の長さ方向が上下方向となるように持ち上げる。そして、建物躯体のチャンネル材に取り付けた後、後述するごとく壁パネル１と出隅部材２との３方向の調整、すなわち上下方向、左右方向および前後方向の調整を行う。
【００１８】
このように構築される出隅部材２の取付構造では、壁パネル１と出隅部材２とが取付金物３によって一体化されているため、壁パネル１が建物躯体に取り付けられることで出隅部材２が建物躯体に設けられることになり、出隅部一体の壁を形成することができる。
【００１９】
また役物取付金具４と壁パネル取付金具５とが、役物取付金具４の第１長孔４４と壁パネル取付金具５の第３長孔５４とを挿通させた第２ボルト２００によって接合されているので、第２ボルト２００を緩めることにより、壁パネル取付金具５が取り付けられた壁パネル１と役物取付金具４が取り付けられた出隅部材２とを第１長孔４４、第３長孔５４の長さ方向に相対的にずらすことができる。よって、壁パネル１と出隅部材２とがなす目地６の長さ方向を上下方向とした場合、第１長孔４４は上下方向に細長い孔となり、第３長孔５４は前後方向に細長い孔となるので、第２ボルト２００を緩めれば、壁パネル１と出隅部材２とを上下方向、前後方向に相対的にずらすことができる。また第２ボルト２００を締めれば、上下方向、前後方向にずらした状態のまま壁パネル１と出隅部材２とを再び一体化できる。
【００２０】
さらに役物取付金具４が接合された壁パネル取付金具５が、壁パネル取付片５１の第２長孔５３に挿通させた第１ボルト１００によって壁パネル１に取り付けられているため、第１ボルト１００を緩めることにより、壁パネル１と出隅部材２とを第２長孔５３の長さ方向に相対的にずらすことができる。よって、壁パネル１と出隅部材２とがなす目地６の長さ方向を上下方向とした場合、第１ボルト１００を緩めれば、壁パネル１と出隅部材２とを左右方向に相対的にずらすことができる。そして第１ボルト１００を締めれば、左右方向にずらした状態のまま壁パネル１と出隅部材２とを再び一体化できる。
【００２１】
したがって、この出隅部材２の取付構造では、建物躯体に出隅部材２を取り付けるための柱やファスナー等の下地がなくても、建物躯体に出隅部材２とを取り付けることができるとともに、壁パネル１と出隅部材２との上下方向、左右方向、前後方向の３方向の調整を容易に行うことができる。この３方向の調整は、壁パネル１と出隅部材２とを建物躯体側に取り付けた直後だけでなく、建物完成時に壁パネル１と出隅部材２との間にずれが生じた場合にも当然のことながら実施することができる。
【００２２】
また役物取付金具４の役物取付片４１が、出隅部材２の内面２２に当接する状態で取り付けられているため、役物取付片４１によって出隅部材２を補強することができ、しかも取付金物３が役物取付金具４と壁パネル取付金具５との２部材から構成されるため、役物取付片４１による出隅部材２の補強状態を維持したまま上記３方向の調整を行うことができる。
さらに役物取付金具４は、第３ボルト３００によって出隅部材２に取り付けられているため、建物躯体に壁パネル１と出隅部材２とを取り付けた後でも出隅部材２を取り外すことができる。そして、取り外した出隅部材２を再度取り付ける際にも壁パネル１と出隅部材２との３方向の調整を行うことができる。
【００２３】
なお、第１実施形態では、壁パネル１に出隅部材２を取付金物３を介して取り付けて一体化した後、これを建物躯体に取り付ける例を述べたが、例えば役物取付金具４を出隅部材２に取り付けない状態で壁パネル１に取付金物３を取り付けておき、この壁パネル１を建物躯体に設けた後に取付金物３を介して出隅部材２を壁パネル１に取り付けることも可能である。その場合にも、壁パネル１と出隅部材２との３方向の調整を行えるのはもちろんである。
【００２４】
次に、本発明に係る壁形成用の役物の取り付け構造の第２実施形態を図５の平面図に基づいて説明する。なお、図において第１実施形態と同一の形成要素には同一の符号を付して説明を省略する。
図５に示すように第２実施形態では、役物が入隅部材８であることと、役物取付金具４の役物取付片４５の形状とが第１実施形態と相違している。
すなわち、入隅部材８は出隅部材２と同様に、その厚み内に入隅部材８の長さ方向に細長い中空部８１が複数形成されたもので、壁パネル１の端部とこれに対向する入隅部材８の端部とによって目地６が形成されている。
【００２５】
入隅部材８の内面８２は、壁パネル１の内面１２にほぼ面一に配置された第１面８２ａと、その第１面８２ａに対して壁パネル１の外面と反対側に略直角に形成された第２面８２ｂとからなる。第１面８２ａ側の中空部８１内には、役物取付金具４の取り付け位置に第２受け金物７２が設けられており、この第２受け金物７２には第３ボルト３００用の孔（図示略）が形成されている。そして入隅部材８の第２面８２ｂにも、その第２受け金物７２の孔に対応する位置に第３ボルト３００用の孔（図示略）が穿設されている。
【００２６】
この入隅部材８に取り付けられる役物取付金具４は、入隅部材８の内面８２に当接する状態で取り付けられる役物取付片４５と、役物取付片４５の壁パネル１側の端部から壁パネル１の外面と反対側に向けて略直角に折曲された第１折曲片４２とからなる。この第２実施形態では、役物取付片４５は入隅部材８の内面８２側の出隅に沿う形状に形成されている。すなわち、入隅部材８の第１面８２ａに当接する横片４５ａと、横片４５ａの壁パネル１側と反対側の端部から壁パネル１の外面に向けて略直角に折曲されて第２面８２ｂに当接する縦片４５ｂとから平面視略Ｌ字状に形成されている。また役物取付片４５の横片４５ａは、入隅部材８の第１面８２ａの幅にほぼ等しい長さに形成されている。
【００２７】
ここで、壁パネル１と入隅部材８とがなす目地６の長さ方向を上下方向とすると、役物取付片４５の横片４５ａには前後方向に長い取付調整孔（図示略）が形成されている。また第１折曲片４２には、第１実施形態と同様に上下方向に細長い第１長孔（図示略）が形成されている。そしてこの役物取付金具４は、役物取付片４５の取付調整孔、入隅部材８の孔および第２受け金物７２の孔に挿通させた第３ボルト３００と、ワッシャー３０１とを用いて入隅部材８に取り付けられている。
【００２８】
このような役物取付金具４と壁パネル取付部材５とは、第１実施形態と同様に、第２ボルト２００等によって第１折曲片４２と第２折曲片５２とが重ね合わされた状態で接合されている。この際、上記したように役物取付金具４の役物取付片４５の横片４５ａは、入隅部材８の第１面８２ａの幅にほぼ等しい長さに形成されているため、壁パネル１と入隅部材８の目地６位置に第１折曲片４２と第２折曲片５２との重ね合わせ部分が位置した状態となっている。そして役物取付金具４と壁パネル取付金具５とが接合されることにより、壁パネル１に出隅部材２が取り付けられて一体化されている。
上記の入隅部材８の取り付け構造は、出隅部材２の取り付け構造と同様にして構築されるが、このとき平面視略Ｌ字状の役物取付片４５によって、入隅部材８の隅部の位置出しを行うことができる。
【００２９】
この第２実施形態では、壁パネル１と入隅部材８とが取付金物３によって一体化されているため、壁パネル１と入隅部材８とが建物躯体のチャンネル材に同時に取り付けられて、入隅部一体の壁を形成することができる。
また第１実施形態と同様に、第１長孔と第３長孔とを挿通させた第２ボルト２００を緩めることにより、壁パネル取付金具５が取り付けられた壁パネル１と役物取付金具４が取り付けられた入隅部材８とを第１長孔、第３長孔の長さ方向に相対的にずらすことができる。よって、壁パネル１と入隅部材８とがなす目地６の長さ方向を上下方向とした場合、壁パネル１と入隅部材８とを第１長孔の長さ方向なる上下方向、第３長孔の長さ方向となる前後方向に相対的にずらすことができる。
【００３０】
また、第１実施形態と同様に、壁パネル取付金具５が第１ボルト１００によって壁パネル１に取り付けられているため、壁パネル１と入隅部材８とがなす目地６の長さ方向を上下方向とした場合、第１ボルト１００を緩めることにより、壁パネル１と出隅部材２とを左右方向に相対的にずらすことができる。
さらに役物取付片４５の取付調整孔に挿通させた第３ボルト３００によって役物取付金具４が入隅部材８に取り付けられているため、入隅部材８に役物取付金具４を取り付ける際の調整を容易に行うことができる。
【００３１】
したがって、この入隅部材８の取付構造においても、建物躯体に入隅部材８を取り付けるための柱やファスナー等の下地がなくても、建物躯体に入隅部材８とを取り付けることができるとともに、壁パネル１と入隅部材８との上下方向、左右方向、前後方向の３方向の調整を容易に行えるという効果が得られる。また役物取付金具４が第３ボルト３００によって入隅部材８に取り付けられているため、建物躯体に壁パネル１と入隅部材８とを取り付けた後でも入隅部材８を取り外し、再度取り付けることができ、また壁パネル１を建物躯体に取り付けた後に入隅部材８を取り付けることができる。さらに、後から壁パネル１に入隅部材８を取り付けた場合にも壁パネル１と入隅部材８との３方向の調整を行えるのは、先の実施形態と同様である。
【００３２】
次に本発明に係る壁形成用の役物の取り付け構造の第３実施形態を図６の平面図に基づいて説明する。なお、図において第１実施形態と同一の形成要素には同一の符号を付して説明を省略する。
図６に示すように第３実施形態では、役物が壁パネル１の幅よりも小さい幅の小パネル９であることと、役物取付金具４の役物取付片４６の形状とが第１実施形態と相違している。
【００３３】
すなわち、小パネル９は建物の開口等を設けるためにモジュールの調整に使用されるもので、壁パネル１と同様にその厚み内に小パネル９の長さ方向に細長い中空部９１が形成されている。そして、壁パネル１の端部とこれに対向する小パネル９の端部とによって目地６が形成されている。なお、図６において小パネル９の壁パネル１と反対側には、開口部に設けられるものとして例えばサッシ１０を示してある。
小パネル９の内面９２は、壁パネル１の内面１２にほぼ面一に配置されており、中空部８１内には、役物取付金具４の取り付け位置に第２受け金物７２が設けられ、この第２受け金物７２には第３ボルト３００用の孔（図示略）が形成されている。そして小パネル９の内面９２にも、その第２受け金物７２の孔に対応する位置に第３ボルト３００用の孔（図示略）が穿設されている。
【００３４】
この小パネル９に取り付けられる役物取付金具４は、小パネル９の内面９２に当接する状態で取り付けられる役物取付片４６と、役物取付片４６の壁パネル１側の端部から壁パネル１の外面と反対側に向けて略直角に折曲された第１折曲片４２とからなる。この第３実施形態において役物取付片４６は、小パネル９の内面９２側沿う平板状に形成されており、小パネル９の幅にほぼ等しい長さに形成されている。
【００３５】
ここで、壁パネル１と入隅部材８とがなす目地６の長さ方向を上下方向とすると、役物取付片４６には前後方向に長い取付調整孔（図示略）が形成されている。また第１折曲片４２には、第１実施形態と同様に上下方向に細長い第１長孔（図示略）が形成されている。そしてこの役物取付金具４は、役物取付片４６の取付調整孔、入隅部材８の孔および第２受け金物７２の孔に挿通させた第３ボルト３００と、ワッシャー３０１とを用いて小パネル９に取り付けられている。
【００３６】
このような役物取付金具４と壁パネル取付部材５とは、第１実施形態と同様に、第２ボルト２００等によって第１折曲片４２と第２折曲片５２とが重ね合わされた状態で接合されている。この際、上記したように役物取付金具４の役物取付片４６は、小パネル９の幅にほぼ等しい長さに形成されているため、壁パネル１と小パネル９の目地６位置に第１折曲片４２と第２折曲片５２との重ね合わせ部分が位置した状態となっている。そして役物取付金具４と壁パネル取付金具５とが接合されることにより、壁パネル１に出隅部材２が取り付けられて一体化されている。上記の小パネル９の取り付け構造も、出隅部材２の取り付け構造と同様にして構築される。
【００３７】
この第３実施形態でも、壁パネル１と小パネル９とが取付金物３によって一体化されているため、小パネル一体の壁を形成することができる。
また壁パネル１と小パネル９とがなす目地６の長さ方向を上下方向とした場合、第１実施形態と同様に、第１長孔、第３長孔を挿通させた第２ボルト２００を緩めることにより、壁パネル１と小パネル９とを第１長孔の長さ方向となる上下方向、第３長孔の長さ方向となる前後方向に相対的にずらすことができる。また第１ボルト１００を緩めることにより、壁パネル１と出隅部材２とを左右方向に相対的にずらすことができる。
【００３８】
さらに役物取付片４６の取付調整孔に挿通させた第３ボルト３００によって役物取付金具４が小パネル９に取り付けられているため、小パネル９に役物取付金具４を取り付ける際の調整を容易に行うことができる。
したがって、この小パネル９の取付構造においても、第１実施形態と同様の効果を得ることができる。
【００３９】
【発明の効果】
以上説明したように本発明に係る壁形成用の役物の取り付け構造では、壁パネルに役物が取付金物を介して取り付けられて壁パネルと役物とが一体化されているため、建物躯体に役物を取り付けるための柱やファスナー等の下地がなくても、建物躯体に役物を取り付けることができる。
また壁パネルと役物とがなす目地の長さ方向を上下方向とした場合、役物取付金具と壁パネル取付金具とを接合する第２ボルトが、役物取付金具の上下方向に細長い第１長孔と壁パネル取付金具の前後方向に細長い第３長孔とに挿通されていることから、第２ボルトを緩めることにより、壁パネルと役物とを上下方向、前後方向に相対的にずらすことができる。また上記目地の長さ方向を上下方向とした場合、壁パネル取付金具と壁パネルとを接合する第１ボルトが壁パネル取付片の左右方向に細長い第２長孔に挿通されているため、第１ボルトを緩めれば、壁パネルと役物とを左右方向に相対的にずらすことができる。したがって、壁パネルと役物との上下方向、左右方向、前後方向の３方向の調整を容易に行うことができる。
【図面の簡単な説明】
【図１】本発明に係る壁形成用の役物の取り付け構造の第１実施形態を示す斜視図である。
【図２】本発明の第１実施形態に用いる取付金物の分解斜視図である。
【図３】本発明の第１実施形態を示す平面図である。
【図４】本発明の第１実施形態の組み立て分解斜視図である。
【図５】本発明に係る壁形成用の役物の取り付け構造の第２実施形態を示す平面図である。
【図６】本発明に係る壁形成用の役物の取り付け構造の第３実施形態を示す平面図である。
【符号の説明】
１  壁パネル
２  出隅部材
３  取付金物
４  役物取付金具
５  壁パネル取付金具
６  目地
８  入隅部材
９  小パネル
１１、２１  中空部
１２、２２、８２、９２  内面
４１、４５、４６  役物取付片
４２  第１折曲片
４４  第１長孔
５１  壁パネル取付片
５２  第２折曲片
５３  第２長孔
５４  第３長孔
７１  第１受け金物
７２  第２受け金物
１００  第１ボルト
２００  第２ボルト
３００  第３ボルト
【図１】
0003718026.tif 000002
【図２】
0003718026.tif 000003
【図３】
0003718026.tif 000004
【図４】
0003718026.tif 000005
【図５】
0003718026.tif 000006
【図６】
0003718026.tif 000007